(57)【要約】【課題】本発明は、小型で低抵抗値かつ電流値検出精度が悪化しない金属板抵抗器を提供することを目的とするものである。【解決手段】本発明の金属板抵抗器は、金属板で構成された抵抗体１１と、この抵抗体１１の下面の両端部に形成された一対の電極１２ａ、１２ｂと、前記抵抗体１１の上面に形成された保護膜１３とを備え、前記一対の電極１２ａ、１２ｂの互いに対向する側面１２ｃに上面視にて前記一対の電極１２ａ、１２ｂを貫通する凹部１４を形成し、かつ前記抵抗体１１が前記凹部１４を覆うようにしたものである。【選択図】図１
2013225602.tif 000002
【特許請求の範囲】
【請求項１】
金属板で構成された抵抗体と、この抵抗体の下面の両端部に形成された一対の電極と、少なくとも前記抵抗体の上面に形成された保護膜とを備え、前記一対の電極の互いに対向する側面に上面視で前記一対の電極を貫通する凹部を形成し、かつ前記抵抗体が前記凹部を覆うようにした金属板抵抗器。
【請求項２】
金属板で構成された抵抗体と、この抵抗体の下面の両端部に形成された一対の電極と、少なくとも前記抵抗体の上面に形成された保護膜とを備え、前記一対の電極の互いに対向する側面における前記一対の電極の下面に凹部を形成した金属板抵抗器。
【発明の詳細な説明】
【技術分野】
【０００１】
本発明は、各種電子機器の電流値検出等に使用される小型で低抵抗値の金属板抵抗器に関するものである。
【背景技術】
【０００２】
従来のこの種の金属板抵抗器は、図７に示すように、金属板で構成された抵抗体１と、抵抗体１の下面の両端部に形成された一対の電極２と、少なくとも抵抗体１の上面に形成された保護膜（図示せず）とを備えていた。
【０００３】
なお、この出願の発明に関する先行技術文献情報としては、例えば、特許文献１が知られている。
【先行技術文献】
【特許文献】
【０００４】
【特許文献１】特開２００２−５７００９号公報
【発明の概要】
【発明が解決しようとする課題】
【０００５】
近年、金属板抵抗器にはより低い抵抗値のものが要望されており、上記した従来の金属板抵抗器において、抵抗値をより低くするには、抵抗体１の厚みを厚くすることと一対の電極２間の距離を短くすることが考えられるが、抵抗体１の厚みを厚くすると製品が大きくなってしまう。
【０００６】
一方、リフローによって実装するときに一対の電極２間の実装用基板上にはんだボールが生じる場合があるが、一対の電極２間の距離を短くすると、このはんだボールと一対の電極２それぞれに形成された実装用はんだとが接触し、ショート不良が発生する場合があるという課題を有していた。
【０００７】
本発明は上記従来の課題を解決するもので、小型で低抵抗値かつショート不良の発生を抑制できる金属板抵抗器を提供することを目的とするものである。
【課題を解決するための手段】
【０００８】
上記目的を達成するために、本発明は以下の構成を有するものである。
【０００９】
本発明の請求項１に記載の発明は、金属板で構成された抵抗体と、この抵抗体の下面の両端部に形成された一対の電極と、少なくとも前記抵抗体の上面に形成された保護膜とを備え、前記一対の電極の互いに対向する側面に上面視で前記一対の電極を貫通する凹部を形成し、かつ前記抵抗体が前記凹部を覆うようにしたもので、この構成によれば、凹部に実装用のはんだを吸い込むことができるため、はんだボールがほとんど発生しないようにすることができ、これにより、小型かつ低抵抗値を図るために一対の電極間の距離を短くしても、ショート不良の発生を抑制できるという作用効果が得られるものである。
【００１０】
本発明の請求項２に記載の発明は、金属板で構成された抵抗体と、この抵抗体の下面の両端部に形成された一対の電極と、少なくとも前記抵抗体の上面に形成された保護膜とを備え、前記一対の電極の互いに対向する側面における前記一対の電極の下面に凹部を形成したもので、この構成によれば、凹部に実装用のはんだを吸い込むことができるため、ショート不良の発生を抑制でき、さらに、一対の電極の凹部が形成されていない上面と抵抗体との接続面積を広く保つことができるため、一対の電極と抵抗体との接続強度を向上させることができるという作用効果が得られるものである。
【発明の効果】
【００１１】
以上のように本発明の金属板抵抗器は、一対の電極の互いに対向する面に上面視にて一対の電極を貫通する凹部を形成しているため、凹部に実装用のはんだを吸い込むことができ、これにより、はんだボールがほとんど発生しないようにすることができるため、小型かつ低抵抗値を図るために一対の電極間の距離を短くしても、ショート不良の発生を抑制できるという優れた効果を奏するものである。
【図面の簡単な説明】
【００１２】
【図１】本発明の一実施の形態における金属板抵抗器の主要部の上面図
【図２】同金属板抵抗器の下面図
【図３】図１、図２のＡ−Ａ線断面図
【図４】同金属板抵抗器の斜視図
【図５】同金属板抵抗器の他の例の断面図
【図６】同金属板抵抗器とランドパターンとの関係図
【図７】従来の金属板抵抗器の断面図
【発明を実施するための形態】
【００１３】
以下、本発明の一実施の形態における金属板抵抗器について図面を参照しながら説明する。
【００１４】
図１は本発明の一実施の形態における金属板抵抗器の主要部の上面図、図２は同金属板抵抗器の主要部の下面図、図３は図１、図２のＡ−Ａ線断面図、図４は同金属板抵抗器の斜視図である。
【００１５】
本発明の一実施の形態における金属板抵抗器は、図１〜図４に示すように、金属板で構成された抵抗体１１と、前記抵抗体１１の下面に形成された一対の電極１２ａ、１２ｂと、少なくとも抵抗体１１の上面に形成された保護膜１３とを備えた構成としていた。さらに、一対の電極１２ａ、１２ｂの互いに対向する側面１２ｃに一対の電極１２ａ、１２ｂを上面視にて貫通する凹部１４を形成し、かつ抵抗体１１が凹部１４を覆うようにしていた。なお、説明を分かり易くするために、図１では抵抗体１１の一部を透過させ、かつ保護膜１３を省略している。
【００１６】
上記構成において、前記抵抗体１１は、ニクロム、銅ニッケル、マンガニン等からなる金属板で構成されている。また、抵抗体１１は上面視にて矩形状になっている。なお、抵抗値を調整するために、抵抗体１１を貫通するスリットを形成してもよい。
【００１７】
また、前記一対の電極１２ａ、１２ｂは、前記抵抗体１１とは別体の導電体で形成され、抵抗体１１より導電率の高い銅等の金属で構成されている。さらに、一対の電極１２ａ、１２ｂはそれぞれ、抵抗体１１の長手方向の両端部の下面に、溶接、クラッド等の方法で接続されている。また、一対の電極１２ａ、１２ｂの上面の一部は抵抗体１１から露出している。
【００１８】
そして、一対の電極１２ａ、１２ｂにはそれぞれ、一対の電極１２ａ、１２ｂを上面から下面まで貫通する凹部１４が形成されている。
【００１９】
また、前記凹部１４は一対の電極１２ａ、１２ｂの互いに対向する側面１２ｃに設けられ、一対の電極１２ａ、１２ｂの一部を切削、レーザ照射等することによって形成する。なお、図１では、凹部１４は一対の電極１２ａ、１２ｂにそれぞれ２つ形成されているが、２つに限定されるものではなく、また、一方の電極１２ａに形成された凹部１４と他方の電極１２ｂに形成された凹部１４とは、抵抗体１１の長手方向と直交する方向に並んで位置しているが、必ずしもその必要はない。さらに、凹部１４の形状は上面視でコ字状になっているが、円弧状、三角形状等の他の形状でもよい。なお、抵抗体１１が凹部１４を完全に覆うように、すなわち、抵抗体１１の下面には必ず一対の電極１２ａ、１２ｂの一部が位置するようにしている。
【００２０】
そしてさらに、一対の電極１２ａ、１２ｂの周囲には電気めっき又はディップにてすずめっきが施されているもので、これにより、金属板抵抗器は実装用基板に実装されるものである。
【００２１】
そしてまた、前記保護膜１３は、抵抗体１１の上面、抵抗体１１の下面における一対の電極１２ａ、１２ｂ間、および抵抗体１１から露出した一対の電極１２ａ、１２ｂの上面に形成され、エポキシ樹脂、ポリイミド樹脂等の絶縁材で構成されている。
【００２２】
上記した本発明の一実施の形態における金属板抵抗器においては、一対の電極１２ａ、１２ｂの互いに対向する側面１２ｃに上面視にて一対の電極１２ａ、１２ｂを貫通する凹部１４を形成しているため、凹部１４に実装用のはんだを引き寄せて、吸い込むことができ、これにより、はんだボールがほとんど発生しないようにすることができるため、一対の電極１２ａ、１２ｂ間の距離を短くしても、ショート不良の発生を抑制できるという効果が得られるものである。
【００２３】
また、低い抵抗値を得るために一対の電極１２ａ、１２ｂ間の距離を短くしても、上記のようにショート不良の発生を抑制できるため、抵抗体１１の厚みを厚くして抵抗値を低くする必要はなく、これにより、低抵抗値を実現したうえで小型化を図ることができる。なお、一対の電極１２ａ、１２ｂに凹部１４を形成しても、一対の電極１２ａ、１２ｂ間の最短距離は変わらないため、抵抗値が高くなるということはない。
【００２４】
さらに、抵抗体１１が凹部１４を完全に覆い、抵抗体１１の下面には必ず一対の電極１２ａ、１２ｂの一部が位置するようにしているため、抵抗体１１の上面に形成される保護膜１３が凹部１４の内部に入り込んで、凹部１４の内部に実装用のはんだを逃がすことができなくなるのを防ぐことができ、また、抵抗体１１と一対の電極１２ａ、１２ｂとを確実に接続することができる。
【００２５】
そしてさらに、凹部１４に入り込んだ実装用はんだによって一対の電極１２ａ、１２ｂと実装用はんだとの接続面積が広くなるため、金属板抵抗器の実装強度が増加する。
【００２６】
なお、図５に示すように、一対の電極１２ａ、１２ｂの互いに対向する側面１２ｃにおける一対の電極１２ａ、１２ｂの下面のみに凹部１４を形成してもよい。このとき、一対の電極１２ａ、１２ｂの一部をＬ字状とし、一対の電極１２ａ、１２ｂの上面の幅を他の部分（一対の電極１２ａ、１２ｂの凹部１４が設けられていない部分）の幅と同じにし、下面の幅を、上面の幅、他の部分の幅より狭くする。また、凹部１４の厚み（深さ）は一対の電極１２ａ、１２ｂの厚みの３０％〜７０％が好ましい。そしてこの構成により、一対の電極１２ａ、１２ｂの凹部１４が形成されていない上面と抵抗体１１との接続面積を広く保つことができるため、一対の電極１２ａ、１２ｂと抵抗体１１との接続強度を向上させることができる。
【００２７】
図６は、本発明の一実施の形態における金属板抵抗器とランドパターンとの関係を上面から見たときの透過図である。
【００２８】
図６に示すように、一対の電極１２ａ、１２ｂ間の距離が短くなると、ランドパターン１５間の距離はさらに短くなるが、本発明のように実装用のはんだを逃がすことができる凹部１４を形成することによって、リフローで実装しても一対の電極１２ａ、１２ｂ間の実装用基板上にはんだボールが生じることはなく、これにより、ショート不良の発生を抑制できるため、抵抗体１１に所定の電流が流れ、電流値検出精度が悪化する等の不具合を防止することができる。
【産業上の利用可能性】
【００２９】
本発明に係る金属板抵抗器は、小型で低抵抗値かつショート不良の発生を抑制できるという効果を有するものであり、特に各種電子機器の電流値検出等に使用される金属板抵抗器等に適用することにより有用となるものである。
【符号の説明】
【００３０】
１１  抵抗体
１２ａ、１２ｂ  一対の電極
１２ｃ  一対の電極の側面
１３  保護膜
１４  凹部
【図１】
2013225602.tif 000003
【図２】
2013225602.tif 000004
【図３】
2013225602.tif 000005
【図４】
2013225602.tif 000006
【図５】
2013225602.tif 000007
【図６】
2013225602.tif 000008
【図７】
2013225602.tif 000009